(57)【要約】【課題】画像処理装置及び画像形成装置並びに画像処理方法を提供すること。【解決手段】色コンポーネントをフルカラーに変換出力し、色コンポーネントのうち無彩色をブラックに変換し、色コンポーネントのうち無彩色をブラックと他の１色とを含む２色の混合色に変換出力し、これら変換出力のうち１つの変換出力を選択する。【選択図】図１
2007300631.tif 000002
【特許請求の範囲】
【請求項１】
複数の色コンポーネントで構成されている画像データをフルカラーに変換する第１の色変換部と、
複数の色コンポーネントで構成されている画像データのうち無彩色をブラック一色のみに変換する第２の色変換部と、
複数の色コンポーネントで構成されている画像データのうち無彩色をブラックと他の１色とを含む２色の混合色に変換する第３の色変換部と、
前記第１の色変換部の変換出力、前記第２の色変換部の変換出力、又は第３の色変換部の変換出力のうち１つの変換出力を選択する選択部と、
を具備することを特徴とする画像処理装置。
【請求項２】
前記選択部に対して前記第１の色変換部の変換出力、前記第２の色変換部の変換出力、又は第３の色変換部の変換出力のいずれか１つの前記変換出力に切り替える切替信号を出力する切替部を有することを特徴とする請求項１記載の画像処理装置。
【請求項３】
前記色コンポーネントは、レッド、グリーン、ブルーを有し、
前記フルカラーは、シアン、マゼンタ、イエロ、ブラックを有し、
前記第１の色変換部は、前記レッド、前記グリーン、前記ブルーを前記シアン、前記マゼンタ、前記イエロ、前記ブラックに変換することを特徴とする請求項１記載の画像処理装置。
【請求項４】
前記第２の色変換部は、少なくとも文字、線画の画像データを前記ブラックと前記指定された１色との２色に変換することを特徴とする請求項１記載の画像処理装置。
【請求項５】
前記色コンポーネントは、レッド、グリーン、ブルーを有し、
前記第２の色変換部は、無彩色をブラックに変換し、かつ前記レッド、前記グリーン、前記ブルーを指定された前記シアン、前記マゼンタ又は前記イエロのうち１色に変換することを特徴とする請求項１記載の画像処理装置。
【請求項６】
前記第２の色変換部は、前記複数の色コンポーネントの平均値を求める色成分平均値算出部と、
前記複数の色コンポーネントのそれぞれの値が同一であるか否かに基づいて無彩色を判定する無彩色判定部と、
前記無彩色判定部の判定結果を受け、前記色成分平均値算出部により算出された前記平均値を用いて前記無彩色又は前記他の色への色成分の分配を行う色成分分配部と、
を有することを特徴とする請求項１記載の画像処理装置。
【請求項７】
前記第２の色変換部は、前記複数の色コンポーネントの平均値を求める色成分平均値算出部と、
前記複数の色コンポーネントのそれぞれの値がCIELAB値に換算して少なくとも  
−１≦ａ＊≦１、−１≦ｂ＊≦１の範囲の色を無彩色として判定する無彩色判定部と、
前記無彩色判定部の判定結果を受け、前記色成分平均値算出部により算出された前記平均値を用いて前記無彩色又は前記他の色への色成分の分配を行う色成分分配部と、
を有することを特徴とする請求項１記載の画像処理装置。
【請求項８】
前記第３の色変換部は、少なくとも２色のビットイメージ画像データを前記２色の合成色に変換することを特徴とする請求項１記載の画像処理装置。
【請求項９】
前記色コンポーネントは、レッド、グリーン、ブルーを有し、
前記第３の色変換部は、無彩色をブラックと、前記シアン、前記マゼンタ又は前記イエロのうち１色とを含む２色の混合色に変換することを特徴とする請求項１記載の画像処理装置。
【請求項１０】
前記第３の色変換部は、前記色コンポーネントを予め決められた色成分として出力する色成分選択部と、
前記色コンポーネントから輝度成分に基づいてブラックを生成する黒成分生成部と、
前記色成分選択部から出力された前記色成分を前記ブラック以外の１つの色に割り付ける色成分分配部と、
を有することを特徴とする請求項１記載の画像処理装置。
【請求項１１】
前記切替部は、印刷命令から前記色コンポーネントを作成し、かつ前記印刷命令中に記述されている情報から前記フルカラー、少なくとも文字、線画の画像データ、又は２色のビットイメージ画像データであるかを解釈し、この解釈結果に基づいて前記選択部に切替信号を出力する印刷命令解釈部を有することを特徴とする請求項２記載の画像処理装置。
【請求項１２】
前記切替部は、前記フルカラーを変換出力するモードと、少なくとも文字、線画の画像データを変換出力するモードと、２色のビットイメージ画像データを変換出力するモードとを有し、これらモードのうち外部から操作により設定された１つの前記モードの切替信号を前記選択部に出力する切替設定部を有することを特徴とする請求項２記載の画像処理装置。
【請求項１３】
レッド、グリーン、ブルー及びブラックの４色コンポーネントで構成されている画像データをフルカラーに変換する第１の色変換部と、
前記４色コンポーネントで構成されている画像データのうち無彩色をブラックに変換する第２の色変換部と、
前記４色コンポーネントで構成されている画像データのうち無彩色をブラックと、前記シアン、前記マゼンタ又は前記イエロのうち１色とを含む２色の混合色に変換する第３の色変換部と、
前記第１の色変換部の変換出力、前記第２の色変換部の変換出力、又は第３の色変換部の変換出力のうち１つの変換出力を選択する選択部と、
を具備することを特徴とする画像処理装置。
【請求項１４】
前記第１の色変換部の変換出力に切り替えるモードと、前記第２の色変換部の変換出力に切り替えるモードと、前記第３の色変換部の変換出力に切り替えるモードとを有し、これらモードのうち外部から操作により設定された１つの前記モードの切替信号を前記選択部に出力する切替設定部を有することを特徴とする請求項１３記載の画像処理装置。
【請求項１５】
前記第２の色変換部は、少なくとも文字、線画の画像データを前記ブラックと前記指定された１色との２色に変換することを特徴とする請求項１３記載の画像処理装置。
【請求項１６】
前記第２の色変換部は、前記レッド、前記グリーン及び前記ブルーの前記色コンポーネントの平均値を求める色成分平均値算出部と、
前記レッド、前記グリーン及び前記ブルーの前記色コンポーネントのそれぞれの値が同一であるか否かに基づいて前記ブラックを判定する無彩色判定部と、
前記無彩色判定部の判定結果及び前記ブラックの前記色コンポーネントを受け、前記色成分平均値算出部により算出された前記平均値を用いて前記ブラックを含む、前記シアン、前記マゼンタ又は前記イエロへの色成分の分配を行う色成分分配部と、
を有することを特徴とする請求項１３記載の画像処理装置。
【請求項１７】
前記第３の色変換部は、少なくとも２色のビットイメージ画像データを前記２色の合成色に変換することを特徴とする請求項１３記載の画像処理装置。
【請求項１８】
前記第３の色変換部は、前記レッド、前記グリーン及び前記ブルーの前記色コンポーネントを予め決められた色成分として出力する色成分選択部と、
前記レッド、前記グリーン及び前記ブルーの前記色コンポーネントから輝度成分に基づいてブラックを生成する黒成分生成部と、
前記色成分選択部から出力された前記色成分を前記ブラック以外の１つの色に割り付ける色成分分配部と、
を有することを特徴とする請求項１３記載の画像処理装置。
【請求項１９】
前記第３の色変換部は、前記レッド、前記グリーン及び前記ブルーの前記色コンポーネントを予め決められた色成分として出力する色成分選択部と、
前記４色コンポーネントのうち前記ブラックをそのまま出力する黒成分生成部と、
前記色成分選択部から出力された前記色成分を前記ブラック以外の１つの色に割り付ける色成分分配部と、
を有することを特徴とする請求項１３記載の画像処理装置。
【請求項２０】
印刷命令を発するコンピュータと、
前記コンピュータから発せられた前記印刷命令を受け、前記印刷命令を印刷出力する画像の色情報に変換する画像処理装置と、
前記画像処理装置により変換された前記色情報に従って前記画像を印刷出力するプリンタとを具備し、
前記画像処理装置は、前記印刷命令から複数の色コンポーネントを作成し、かつ前記印刷命令中に記述されている情報から印刷内容を解釈し、この解釈結果に基づいて切替信号を出力する印刷命令解釈部と、
前記複数の色コンポーネントをフルカラーに変換する第１の色変換部と、
前記複数の色コンポーネントのうち無彩色をブラックに変換する第２の色変換部と、
前記複数の色コンポーネントのうち無彩色をブラックと他の１色とを含む２色の混合色に変換する第３の色変換部と、
前記印刷命令解釈部から出力された前記切替信号に基づいて前記第１の色変換部の変換出力、前記第２の色変換部の変換出力、又は第３の色変換部の変換出力のうち１つの変換出力を選択する選択部と、
を具備することを特徴とする画像形成装置。
【請求項２１】
画像を入力し、前記画像を複数の色コンポーネントとして出力する画像入力部と、
前記画像入力部からの前記複数の色コンポーネントを入力し、前記複数の色コンポーネントを印刷出力する前記画像の色情報に変換する画像処理装置と、
前記画像処理装置により変換された前記色情報に従って前記画像を印刷出力するプリンタとを具備し、
前記画像処理装置は、前記印刷命令から複数の色コンポーネントを作成し、かつ前記印刷命令中に記述されている情報から印刷内容を解釈し、この解釈結果に基づいて切替信号を出力する印刷命令解釈部と、
前記複数の色コンポーネントをフルカラーに変換する第１の色変換部と、
前記複数の色コンポーネントのうち無彩色をブラックに変換する第２の色変換部と、
前記複数の色コンポーネントのうち無彩色をブラックと他の１色とを含む２色の混合色に変換する第３の色変換部と、
前記印刷命令解釈部から出力された前記切替信号に基づいて前記第１の色変換部の変換出力、前記第２の色変換部の変換出力、又は第３の色変換部の変換出力のうち１つの変換出力を選択する選択部と、
を具備することを特徴とする画像形成装置。
【請求項２２】
複数の色コンポーネントをフルカラーに変換出力し、
複数の色コンポーネントのうち無彩色をブラックに変換出力し、
複数の色コンポーネントのうち無彩色をブラックと他の１色とを含む２色の混合色に変換出力し、
これら変換出力のうち１つの変換出力を選択する。
ことを特徴とする画像処理方法。
【発明の詳細な説明】
【技術分野】
【０００１】
本発明は、例えばブラックと他の１色とにより２色印刷するための画像処理を行う画像処理装置に関する。
【背景技術】
【０００２】
画像形成装置には、例えばデジタル複写機等がある。このような画像形成装置は、２色印刷を行っている。すなわち、フルカラー印刷のデジタルデータ量は、モノクローム印刷のデジタルデータ量に対して４倍のデータ量となる。フルカラー印刷では、実際に印刷する機器の限界によるが、モノクローム印刷の最大色材量のおよそ２．５倍程度の色材を消費する可能性がある。トナー等の色材の消費量は、なるべく少なくしたい。これにより、色材を２つに限定して２色印刷することが行われている。
２色印刷の方法は、次の通りである。カラーＣＣＤ等の光電変換素子は、カラー原稿を読み取り、カラー画像信号を出力する。カラー画像信号からブラック成分が分離される。分離されたブラックは、ブラックの色材によって印刷される。ブラック以外の他の各色は、他の１色の色材によって印刷される。例えばブラックの文字は、ブラックの色材によって印刷される。他の各色の付いた部分は、ブラック以外の１色によって色付き印刷される。このような２色印刷であれば、注目すべき部分に色付き文字を施した文書は、少ない色材量によって複写印刷される。
【０００３】
２色印刷の技術は、例えば特許文献１に開示されている。特許文献１は、カラー画像データに基づいて色相データ及び彩度データを検出し、これら色相データ及び彩度データに基づいて濃度データを生成し、この濃度データに基づいてカラー画像データを２色に色分離することを開示する。
【特許文献１】特開平８−８４２６８号公報
【発明の開示】
【課題を解決するための手段】
【０００４】
本発明の主要な局面に係る画像処理装置は、複数の色コンポーネントをフルカラーに変換する第１の色変換部と、複数の色コンポーネントのうち無彩色をブラックに変換し、かつ他の色を指定された１色に変換する第２の色変換部と、複数の色コンポーネントのうち無彩色をブラックと他の１色とを含む２色の混合色に変換する第３の色変換部と、第１の色変換部の変換出力、第２の色変換部の変換出力、又は第３の色変換部の変換出力のうち１つの変換出力を選択する選択部とを具備する。
【発明を実施するための最良の形態】
【０００５】
以下、本発明の第１の実施の形態について図面を参照しながら詳細に説明する。  
図１は画像形成装置のブロック構成図を示す。画像形成装置は、ホストコンピュータ１と、画像処理装置２と、プリンタ３とを有する。ホストコンピュータ１は、所望の画像の印刷出力を印刷命令Ｐのフォーマットに変換し、この印刷命令Ｐを画像処理装置２に対して発する。印刷命令Ｐは、ページ記述言語により記述されている。印刷命令Ｐ中には、フルカラー印刷、文字や線画等の２色印刷、又は自然画等のビットイメージの印刷であるのか等の情報が記述されている。
【０００６】
画像処理装置２は、ホストコンピュータ１から発せられた印刷命令Ｐを受け取り、印刷命令Ｐをプリンタ３で印刷出力する画像の色情報、すなわちシアン（以下、Ｃと称する）、マゼンタ（以下、Ｍと称する）、イエロ（以下、Ｙと称する）、ブラック（以下、Ｋと称する）の各色材量に変換する画像処理を行う。プリンタ３は、画像処理装置２により求められたＣＭＹＫの各色材量に基づいて画像形成媒体に印刷を行う。
図２は画像処理装置２のブロック構成図を示す。印刷命令解釈部４は、ホストコンピュータ１から発せられた印刷命令Ｐに基づいて複数の色コンポーネント、例えば３つの色コンポーネントでは、レッド（以下、Ｒと称する）、グリーン（以下、Ｇと称する）、ブルー（以下、Ｂと称する）に分解して画像データを作成する。印刷命令解釈部４は、印刷命令Ｐ中に記述されている情報から印刷内容を解釈する。すなわち印刷命令解釈部４は、印刷命令Ｐのページ記述言語から印刷する画像データを作成し、画像データの画素がフルカラー印刷、単純２色印刷、又は自然画２色印刷であるのかを解釈する。例えば、ある印刷においては、全面がフルカラー印刷であったりする。ある印刷では、文字やグラフ線画が単純２色印刷で、かつ自然画像が自然画２色印刷であったりする。印刷命令解釈部４は、解釈結果を示す切替信号Ｃａを出力する。
【０００７】
第１の色変換部５は、印刷命令解釈部４により作成された画像データの画素の色コンポーネントＲＧＢをフルカラーＣＭＹＫに変換する。第１の色変換部５は、ＲＧＢからＣＭＹＫへの変換用のテーブル５ａを有する。変換用テーブル５ａには、ＲＧＢをＣＭＹＫに変換するためのテーブル値が記憶されている。第１の色変換部５は、ＲＧＢに応じたテーブル値を変換用テーブル５ａから読み出し、テーブル値の補間演算を行ってＣＭＹＫを求める。
第２の色変換部６は、画像データの画素をＫと無彩色以外の他の指定された１色、例えばＣ、Ｍ又はＹのうち１色との２色に変換する。第２の色変換部６は、画像データの無彩色（グレー）をＫに変換する。  
図３は第２の色変換部６のブロック構成図を示す。第２の色変換部６は、色成分平均値計算部６ａと、無彩色判定部６ｂと、色成分分配部６ｃとを有する。  
色成分平均値計算部６ａは、色コンポーネントＲＧＢの平均値Ｘ１を求める。  
無彩色判定部６ｂは、色コンポーネントＲＧＢのそれぞれの値が同一であるか否かに基づいて無彩色を判定し、この判定結果Ｆａを出力する。但し、無彩色判定部６ｂは、色コンポーネントＲＧＢの値にエラーが含まれていることを考慮し、色コンポーネントＲＧＢの最大値と最小値との差が予め決められた一定範囲内に収まっていれば、無彩色と判定する。
【０００８】
すなわち、ＲＧＢ値が「０−２５５」の範囲を取り得るならば、入力されたＲＧＢの色コンポーネントのそれぞれの値の最大値、最小値の差が少なくとも１以下のときに黒と判断する。入力されたＲＧＢの平均に従って最大値、最小値の差の閾値は、変化してもかまわない。
【０００９】
黒判定は、ＲＧＢのそれぞれの色コンポーネントの値をCIELAB値に換算して判定することも可能である。例えば、入力されるＲＧＢが「０−２５５」の範囲を取り得るｓＲＧＢ色空間上の値であれば、  
Ｒ’＝Ｒ／２５５  
Ｇ’＝Ｇ／２５５  
Ｂ’＝Ｂ／２５５  
ｉｆ  Ｒ’，Ｇ’，Ｂ’＜＝０．０４０４５  
Ｒ”＝Ｒ’／１２．９２  
Ｇ”＝Ｇ’／１２．９２  
Ｂ”＝Ｂ’／１２．９２  
else  
Ｒ”＝［（Ｒ'＋０．０５５）／１．０５５］＾２．４  
Ｇ”＝［（Ｇ’＋０．０５５）／１．０５５］＾２．４  
Ｂ”＝［（Ｂ’＋０．０５５）／１．０５５］＾２．４  
Ｘ＝０．４１２４＊Ｒ”＋０．３５７６＊Ｇ”＋０．１８０５＊Ｂ”  
Ｙ＝０．２１２６＊Ｒ”＋０．７１５２＊Ｇ”＋０．０７２２＊Ｂ”  
Ｚ＝０．０１９３＊Ｒ”＋０．１１９２＊Ｇ”＋０．９５０５＊Ｂ”  
ｉｆ  （Ｘ／Ｘｎ）＞０．００８８５６  
ｆ（Ｘ／Ｘｎ）＝（Ｘ／Ｘｎ）＾（１／３）  
else  
ｆ（Ｘ／Ｘｎ）＝７．７８＊（Ｘ／Ｘｎ）＋１６／１１６  
ｉｆ  （Ｙ／Ｙｎ）＞０．００８８５６  
ｆ（Ｙ／Ｙｎ）＝（Ｙ／Ｙｎ）＾（１／３）  
else  
ｆ（Ｙ／Ｙｎ）＝７．７８＊（Ｙ／Ｙｎ）＋１６／１１６  
ｉｆ  （Ｚ／Ｚｎ）＞０．００８８５６  
ｆ（Ｚ／Ｚｎ）＝（Ｚ／Ｚｎ）＾（１／３）  
else  
ｆ（Ｚ／Ｚｎ）＝７．７８＊（Ｚ／Ｚｎ）＋１６／１１６  
Ｌ＊＝１１６＊ｆ（Ｙ／Ｙｎ）−１６  
ａ＊＝５００＊［ｆ（Ｘ／Ｘｎ）−ｆ（Ｙ／Ｙｎ）］  
ｂ＊＝２００＊［ｆ（Ｙ／Ｙｎ）−ｆ（Ｚ／Ｚｎ）］  
としてａ＊値、ｂ＊値が求められる。ここで、Ｘｎ、Ｙｎ、Ｚｎは、基準白色の三刺激値である。この値の絶対値が少なくとも１以下であれば、黒と判定する。ａ＊値、ｂ＊値の自乗和の平方根の値が少なくとも１以下であれば、黒と判定する方法もある。
【００１０】
色成分分配部６ｃは、無彩色判定部６ｂの判定結果Ｆａを受け、色成分平均値算出部６ａにより算出された平均値Ｘ１を用いて無彩色Ｋ又は他の色Ｃ、Ｍ又はＹのうち１色への色成分の分配を行う。すなわち、色成分分配部６ｃは、無彩色判定部６ｂの判定結果Ｆａに基づき、判定結果Ｆａが無彩色を示していれば、「１−平均値Ｘ１」値をＫに割り当て、他の色ＣＭＹをそれぞれ「０」値に割り当てる。色成分分配部６ｃは、判定結果Ｆａが無彩色でないことを示していれば、予め決められたＣ、Ｍ又はＹのうち１つの色材に「１−平均値Ｘ１」値をそれぞれ割り当て、Ｋを含む他の色材に「０」値を割り当てる。
色成分分配部６ｃには、マウス、キーボード、ディスプレイ等を有するユーザ設定部を設けることが可能である。ユーザ設定部は、ユーザの操作により「１−平均値Ｘ１」値を割り当てる色材を指定する。  
第３の色変換部７は、色コンポーネントＲＧＢのうち無彩色をＫと、他のＣ、Ｍ又はＹのうち１つの色とを含む２色の混合色に変換する。図４は第３の色変換部７のブロック構成図を示す。第３の色変換部７は、２色のビットイメージ画像データを２色の合成色に変換する。第３の色変換部は、無彩色をＫと、Ｃ、Ｍ又はＹのうち１色を含む２色の混合色に変換する。図４は第３の色変換部７のブロック構成図を示す。第３の色変換部７は、色成分選択部７ａと、黒成分生成部７ｂと、色成分分配部７ｃとを有する。
色成分選択部７ａは、色コンポーネントＲＧＢの中で予め決められた１つのコンポーネントを色成分Ｘ２として出力する。色成分選択部７ａには、マウス、キーボード、ディスプレイ等を有するユーザ設定部を設けることが可能である。ユーザ設定部は、ユーザの操作により色成分Ｘ２として出力する色成分を指定する。
【００１１】
黒成分生成部７ｂは、色コンポーネントＲＧＢの輝度成分に基づいてグレーとして黒成分Ｋを算出する。黒成分の算出方法について説明する。黒成分Ｋの算出方法は、ＮＴＳＣ規格に示されている式を利用する方法がある。ＮＴＳＣ規格によれば、輝度は、  
輝度＝０．３＊Ｒ＋０．５９＊Ｇ＋０．１１＊Ｂ        …（１）  
で表わされる。この輝度を使用してＫを算出することができる。
【００１２】
又、他の方法として、色コンポーネントＧのフィルタの分光感度が分光視感度とほぼ等価であれば、色コンポーネントＧをそのまま輝度として使用可能である。しかるに、黒成分Ｋは、  
Ｋ＝（１−輝度）／２                                …（２）  
として黒成分Ｋを生成する。
色成分分配部７ｃは、色成分選択部７ａから出力された色成分Ｘ２をブラックＫ以外の１つの色Ｃ、Ｍ又はＹに割り付ける。すなわち色成分分配部７ｃは、予め決められた色Ｃ、Ｍ又はＹのうち１色の色材に「（１−Ｘ２）／２」値を割り付ける。２つの色材を２分の１にするのは、色材の合計が１００％以下に抑えるためである。２つの色材の比率は、これら色材の合計量が１００％を上回らない組み合わせであればよい。黒成分は、色コンポーネントＲＧＢの平均値に基づいて作成することも可能である。
【００１３】
選択部８は、印刷命令解釈部４から出力された切替信号Ｃａに基づいて第１の色変換部５の変換出力、第２の色変換部６の変換出力、又は第３の色変換部７の変換出力のうち１つの変換出力を選択する。すなわち、選択部８は、印刷命令解釈部４から出力された切替信号Ｃａがフルカラー印刷を示せば、第１の色変換部５の変換出力を選択する。選択部８は、印刷命令解釈部４から出力された切替信号Ｃａが単純２色印刷を示せば、第２の色変換部６の変換出力を選択する。選択部８は、印刷命令解釈部４から出力された切替信号Ｃａが自然画２色印刷を示せば、第３の色変換部７の変換出力を選択する。
【００１４】
次に、上記のように構成された装置の動作について説明する。
ホストコンピュータ１は、所望の画像の印刷出力を印刷命令Ｐのフォーマットに変換し、印刷命令Ｐを画像処理装置２に対して発する。  
画像処理装置２は、ホストコンピュータ１から発せられた印刷命令Ｐを受け取り、印刷命令解釈部４に渡す。印刷命令解釈部４は、ホストコンピュータ１から発せられた印刷命令Ｐから色コンポーネントＲＧＢを含んだ画像データを作成する。画像データは、第１の色変換部５と、第２の色変換部６と、第３の色変換部７とに送られる。
これと共に印刷命令解釈部４は、印刷命令Ｐのページ記述言語から印刷する画像データの画素がフルカラー印刷であるのか、文字やグラフ、線画等が２色印刷であるのか、自然画等のビットイメージの印刷が自然画２色印刷であるのかを解釈し、解釈結果を示す切替信号Ｃａを出力する。
【００１５】
第１の色変換部５は、印刷命令解釈部４により作成された画像データの画素の色コンポーネントＲＧＢを受け取り、色コンポーネントＲＧＢに応じたテーブル値を変換用テーブル５ａから読み出す。第１の色変換部５は、色コンポーネントＲＧＢに応じたテーブル値の補間演算を行ってＣＭＹＫを求める。これにより、色コンポーネントＲＧＢがフルカラーＣＭＹＫに変換される。
【００１６】
第２の色変換部６において、色成分平均値計算部６ａは、色コンポーネントＲＧＢの平均値Ｘ１を求める。  
これと共に無彩色判定部６ｂは、色コンポーネントＲＧＢのそれぞれの値が同一であるか否かに基づいて無彩色を判定し、この判定結果Ｆａを出力する。この場合、無彩色判定部６ｂは、色コンポーネントＲＧＢの最大値と最小値との差が予め決められた一定範囲内に収まっていれば、無彩色と判定する。
【００１７】
すなわち、ＲＧＢ値が「０−２５５」の範囲を取り得るならば、入力されたＲＧＢの色コンポーネントのそれぞれの値の最大値、最小値の差が少なくとも１以下のときに黒と判断する。入力されたＲＧＢの平均に従って最大値、最小値の差の閾値は、変化してもかまわない。
【００１８】
黒判定は、ＲＧＢのそれぞれの色コンポーネントの値をCIELAB値に換算して判定することも可能である。例えば、入力されるＲＧＢが「０−２５５」の範囲を取り得るｓＲＧＢ色空間上の値であれば、  
Ｒ’＝Ｒ／２５５  
Ｇ’＝Ｇ／２５５  
Ｂ’＝Ｂ／２５５  
ｉｆ  Ｒ’，Ｇ’，Ｂ’＜＝０．０４０４５  
Ｒ”＝Ｒ’／１２．９２  
Ｇ”＝Ｇ’／１２．９２  
Ｂ”＝Ｂ’／１２．９２  
else  
Ｒ”＝［（Ｒ'＋０．０５５）／１．０５５］＾２．４  
Ｇ”＝［（Ｇ’＋０．０５５）／１．０５５］＾２．４  
Ｂ”＝［（Ｂ’＋０．０５５）／１．０５５］＾２．４  
Ｘ＝０．４１２４＊Ｒ”＋０．３５７６＊Ｇ”＋０．１８０５＊Ｂ”  
Ｙ＝０．２１２６＊Ｒ”＋０．７１５２＊Ｇ”＋０．０７２２＊Ｂ”  
Ｚ＝０．０１９３＊Ｒ”＋０．１１９２＊Ｇ”＋０．９５０５＊Ｂ”  
ｉｆ  （Ｘ／Ｘｎ）＞０．００８８５６  
ｆ（Ｘ／Ｘｎ）＝（Ｘ／Ｘｎ）＾（１／３）  
else  
ｆ（Ｘ／Ｘｎ）＝７．７８＊（Ｘ／Ｘｎ）＋１６／１１６  
ｉｆ  （Ｙ／Ｙｎ）＞０．００８８５６  
ｆ（Ｙ／Ｙｎ）＝（Ｙ／Ｙｎ）＾（１／３）  
else  
ｆ（Ｙ／Ｙｎ）＝７．７８＊（Ｙ／Ｙｎ）＋１６／１１６  
ｉｆ  （Ｚ／Ｚｎ）＞０．００８８５６  
ｆ（Ｚ／Ｚｎ）＝（Ｚ／Ｚｎ）＾（１／３）  
else  
ｆ（Ｚ／Ｚｎ）＝７．７８＊（Ｚ／Ｚｎ）＋１６／１１６  
Ｌ＊＝１１６＊ｆ（Ｙ／Ｙｎ）−１６  
ａ＊＝５００＊［ｆ（Ｘ／Ｘｎ）−ｆ（Ｙ／Ｙｎ）］  
ｂ＊＝２００＊［ｆ（Ｙ／Ｙｎ）−ｆ（Ｚ／Ｚｎ）］  
としてａ＊値、ｂ＊値が求められる。ここで、Ｘｎ、Ｙｎ、Ｚｎは、基準白色の三刺激値である。この値の絶対値が少なくとも１以下であれば、黒と判定する。ａ＊値、ｂ＊値の自乗和の平方根の値が少なくとも１以下であれば、黒と判定する方法もある。
【００１９】
色成分分配部６ｃは、無彩色判定部６ｂの判定結果Ｆａを受け、色成分平均値算出部６ａにより算出された平均値Ｘ１を用いてＫ又は他の色Ｃ、Ｍ又はＹのうち１色への色成分の分配を行う。すなわち、色成分分配部６ｃは、無彩色判定部６ｂの判定結果Ｆａに基づき、判定結果Ｆａが無彩色を示していれば、「１−平均値Ｘ１」値をＫに割り当て、他の色ＣＭＹを「０」値に割り当てる。色成分分配部６ｃは、判定結果Ｆａが無彩色でないことを示していれば、予め決められたＣ、Ｍ又はＹのうち１つの色材に「１−平均値Ｘ１」値を割り当て、Ｋを含む他の色材に「０」値を割り当てる。
これにより、印刷命令解釈部４で文字やグラフ、線画の画像データが単純２色印刷で印刷すべきと判断されると、第２の色変換部６によって、少なくとも文字やグラフ、線画の画像データがＫと、Ｋ以外の他の指定された例えばＣとの２色に変換される。なお、Ｋと、Ｍ又はＹとの２色に変換してもよい。
【００２０】
第３の色変換部７において、色成分選択部７ａは、色コンポーネントＲＧＢを予め決められた色成分Ｘ２として出力する。  
これと共に黒成分生成部７ｂは、前記式（１）及び前記式（２）を演算し、色コンポーネントＲＧＢの輝度成分に基づいて黒成分Ｋを算出する。  
色成分分配部７ｃは、色成分選択部７ａから出力された色成分Ｘ２をＫ以外の１つの色Ｃ、Ｍ又はＹに割り付ける。すなわち色成分分配部７ｃは、予め決められた色Ｃ、Ｍ又はＹのうち１色の色材に「（１−Ｘ２）／２」値を割り付ける。
これにより、第３の色変換部７によって、色コンポーネントＲＧＢのうち無彩色がＫと、他のＣ、Ｍ又はＹのうち１つの色とを含む２色の混合色に変換される。  
選択部８は、印刷命令解釈部４から出力された切替信号Ｃａを受け取る。選択部８は、印刷命令解釈部４から出力された切替信号Ｃａがフルカラー印刷を示せば、第１の色変換部５の変換出力を選択する。選択部８は、印刷命令解釈部４から出力された切替信号Ｃａが単純２色印刷を示せば、第２の色変換部６の変換出力を選択する。選択部８は、印刷命令解釈部４から出力された切替信号Ｃａが自然画２色印刷を示せば、第３の色変換部７の変換出力を選択する。
【００２１】
選択部８により選択された第１の色変換部５の変換出力、第２の色変換部６の変換出力、又は第３の色変換部７の変換出力は、プリンタ３に送られる。プリンタ３は、ＣＭＹＫの各色材量に基づいて画像形成媒体にフルカラー印刷、文字やグラフ、線画等の２色印刷、又は自然画等のビットイメージの２色印刷を行う。  
このように上記第１の実施の形態によれば、第１の色変換部５により画像データの画素の色コンポーネントＲＧＢをフルカラーＣＭＹＫに変換出力し、第２の色変換部６により画像データ中の無彩色の画素をＫ単色に変換すると共に、他の色を指定された１色に変換出力し、又、第３の色変換部７により画像データ中の無彩色の画素をＫと他の１色とを含む２色の混合色に変換出力し、選択部８によって各変換出力のうち１つの変換出力を選択する。
【００２２】
これにより、フルカラー印刷を行うだけでなく、第２の色変換部６により例えば黒文字等を例えばブラックの１色により印刷し、はっきりとして綺麗な印刷結果を得ることが出来る。この場合、線画は、他の１色により印刷することにより、黒文字と同等にはっきりとして綺麗な印刷結果を得ることが出来る。
第３の色変換部７の変換出力により２色印刷を行うことにより、自然画等のビットイメージは、色の諧調に違和感のない２色の印刷結果として出力できる。この２色の印刷は、２色でありながら、あたかもフルカラー印刷したような画像として２色印刷出力できる。２色印刷において、第３の色変換部７は、色相や色彩等の検出を行っていない。これにより、第３の色変換部７は、高速で自然画等のビットイメージを２色ビットイメージに色変換できる。この結果、高速で２色の印刷結果が得られる
同一の画像形成媒体中に、フルカラー印刷と、文字やグラフ、線画等の２色印刷と、自然画等のビットイメージの２色印刷とが混在しても、例えば黒文字等を例えばＫの１色によりはっきりとして綺麗な印刷で、かつ色の諧調に違和感のない２色の印刷結果が高速で得られる。
次に、本発明の第２の実施の形態について図面を参照しながら詳細に説明する。なお、図１及び図２と同一部分には同一符号を付してその詳しい説明は省略する。  
図５は画像形成装置のブロック構成図を示す。画像形成装置は、画像入力部１０と、画像処理装置２と、切替設定部１１と、プリンタ３とを有する。画像入力部１０は、外部からの画像データを入力し、画像データを色コンポーネントＲＧＢとして画像処理装置２に送出する。
【００２３】
切替設定部１１は、フルカラー変換出力モードと、単純２色変換出力モードと、自然画２色変換出力モードとを有する。切替設定部１１は、各モードのうち外部からユーザの操作により設定された１つのモードの切替信号Ｃｂを選択部８に出力する。切替設定部１１は、例えば操作パネルを有する。操作パネル上には、各モードを選択するための各操作スイッチ等を有する。
図６は画像処理装置２のブロック構成図を示す。第１乃至第３の色変換部５〜７は、上記第１の実施の形態における第１乃至第３の色変換部５〜７と同一である。  
選択部８は、切替設定部１１から出力された切替信号Ｃｂに基づいて第１の色変換部５の変換出力、第２の色変換部６の変換出力、又は第３の色変換部７の変換出力のうち１つの変換出力を選択する。すなわち、選択部８は、切替設定部１１から出力された切替信号Ｃｂがフルカラー印刷を示せば、第１の色変換部５の変換出力を選択する。選択部８は、切替設定部１１から出力された切替信号Ｃｂが単純２色印刷を示せば、第２の色変換部６の変換出力を選択する。選択部８は、切替設定部１１から出力された切替信号Ｃｂが自然画２色印刷を示せば、第３の色変換部７の変換出力を選択する。
【００２４】
次に、上記のように構成された装置の動作について説明する。  
画像入力部１０は、外部からの画像データを入力し、画像データを色コンポーネントＲＧＢとして出力する。色コンポーネントＲＧＢは、画像処理部２に送られる。  
画像処理部２は、第１乃至第３の色変換部５〜７において上記第１の実施の形態と同様の動作を行う。すなわち、第１の色変換部５は、印刷命令解釈部４により作成された色コンポーネントＲＧＢをフルカラーＣＭＹＫに変換する。第２の色変換部６は、画像データをＫと、Ｋ以外の他の指定された１色、例えばＣ、Ｍ又はＹのうち１色との２色に変換する。この場合、第２の色変換部６は、画像データの無彩色をＫに変換する。第３の色変換部７は、画像データのうち無彩色をＫと、他のＣ、Ｍ又はＹのうち１つの色とを含む２色の混合色に変換する。
【００２５】
選択部８は、切替設定部１１から出力された切替信号Ｃｂを受け取り、切替信号Ｃｂがフルカラー印刷を示せば、第１の色変換部５の変換出力を選択する。選択部８は、切替設定部１１から出力された切替信号Ｃｂが単純２色印刷を示せば、第２の色変換部６の変換出力を選択する。選択部８は、切替設定部１１から出力された切替信号Ｃｂが自然画２色印刷を示せば、第３の色変換部７の変換出力を選択する。
【００２６】
プリンタ３は、ＣＭＹＫの各色材量に基づいて画像形成媒体にフルカラー印刷、文字やグラフ、線画等の２色印刷、又は自然画等のビットイメージの２色印刷を行う。  
このように上記第２の実施の形態によれば、ユーザの切替設定部１１に対する操作によって、フルカラー変換出力モードと、少なくとも文字やグラフ、線画の画像データを２色印刷する単純２色変換出力モードと、２色のビットイメージ画像データを印刷出力する自然画２色変換出力モードとのうち１つのモードを選択できる。これにより、上記第１の実施の形態に加えて、ユーザの要望に応じた文字やグラフ、線画等の２色印刷、又は自然画等のビットイメージの２色印刷を高速で行うことができる。
【００２７】
次に、本発明の第３の実施の形態について図面を参照しながら詳細に説明する。なお、図５と同一部分には同一符号を付してその詳しい説明は省略する。  
図７は画像形成装置のブロック構成図を示す。画像形成装置は、画像入力部２０と、画像処理装置２１と、切替設定部１１と、プリンタ３とを有する。画像入力部１０は、例えば画像のＲＧＢＫを読み取る４ラインＣＤＤから成る画像読取素子を有する。画像入力部１０は、読み取った画像のＲＧＢＫをＲ、Ｇ、Ｂ、Ｋinの４色コンポーネントとして出力する。
【００２８】
画像処理装置２１は、画像入力部１０から出力される４色コンポーネントＲＧＢＫinを受け取り、４色コンポーネントＲＧＢＫinをプリンタ３で印刷出力する画像の色情報、すなわちＣＭＹＫoutの各色材量に変換する画像処理を行う。  
図８は画像処理装置２１のブロック構成図を示す。画像処理装置２１は、第１の色変換部２２と、第２の色変換部２３と、第３の色変換部２４と、選択部２５とを有する。
第１の色変換部２２は、画像入力部１０から出力される４色コンポーネントＲＧＢＫinをフルカラーＣＭＹＫoutに変換する。第１の色変換部２２は、ＲＧＢＫinからＣＭＹＫoutへの変換用のテーブル２２ａを有する。変換用テーブル２２ａには、ＲＧＢＫinをＣＭＹＫoutに変換するためのテーブル値が記憶されている。第１の色変換部２２は、ＲＧＢＫinに応じたテーブル値を変換用テーブル２２ａから読み出し、テーブル値の補間演算を行ってＣＭＹＫoutを求める。
第２の色変換部２３は、少なくとも文字やグラフ、線画の画像データをＫoutと、ブラック以外の他の指定された１色、例えばＣ、Ｍ又はＹのうち１色との２色に変換する。第２の色変換部２３は、色コンポーネントＲＧＢＫinから無彩色をＫに変換する。図９は第２の色変換部２３のブロック構成図を示す。第２の色変換部２３は、色成分平均値計算部２３ａと、無彩色判定部２３ｂと、色成分分配部２３ｃとを有する。
色成分平均値計算部２３ａは、色コンポーネントＲＧＢＫinのうち色コンポーネントＲＧＢの平均値Ｘ３を求める。  
無彩色判定部２３ｂは、色コンポーネントＲＧＢＫinのうち色コンポーネントＲＧＢのそれぞれの値が同一であるか否かに基づいてＫを判定し、この判定結果Ｆｂを出力する。但し、無彩色判定部６ｂは、色コンポーネントＲＧＢの値にエラーが含まれていることを考慮し、色コンポーネントＲＧＢの最大値と最小値との差が予め決められた一定範囲内に収まっていれば、無彩色と判定する。
【００２９】
色成分分配部２３ｃは、無彩色判定部６ｂの判定結果Ｆｂを受け、色成分平均値算出部６ａにより算出された平均値Ｘ３及び色コンポーネントＫinを用いてＫout又は他の色Ｃ、Ｍ又はＹのうち１色への色成分の分配を行う。すなわち、色成分分配部６ｃは、無彩色判定部６ｂの判定結果Ｆｂに基づき、判定結果Ｆｂが無彩色を示していれば、ＫinをＫoutに割り当て、他の色ＣＭＹを「０」値に割り当てる。色成分分配部６ｃは、判定結果Ｆｂが無彩色でないことを示していれば、予め決められたＣ、Ｍ又はＹのうち１つの色材に「１−平均値Ｘ３」値を割り当て、Ｋoutを含む他の色材に「０」値を割り当てる。
色成分分配部２３ｃには、マウス、キーボード、ディスプレイ等を有するユーザ設定部を設けることが可能である。ユーザ設定部は、ユーザの操作により「１−平均値Ｘ３」値を割り当てる色材を指定する。  
第３の色変換部２４は、画像データ中の無彩色の画素をＫoutと、他のＣ、Ｍ又はＹのうち１つの色とを含む２色の混合色に変換する。第３の色変換部２４は、２色のビットイメージ画像データを２色の合成色に変換する。第３の色変換部２４は、無彩色をＫoutと、Ｃ、Ｍ又はＹのうち１色を含む２色の混合色に変換する。図１０は第３の色変換部２４のブロック構成図を示す。第３の色変換部２４は、色成分選択部２４ａと、黒成分生成部２４ｂと、色成分分配部２４ｃとを有する。
色成分選択部２４ａは、色コンポーネントＲＧＢＫinのうち色コンポーネントＲＧＢを予め決められた色成分Ｘ４として出力する。色成分選択部２４ａには、マウス、キーボード、ディスプレイ等を有するユーザ設定部を設けることが可能である。ユーザ設定部は、ユーザの操作により色成分Ｘ４として出力する色成分を指定する。  
黒成分生成部２４ｂは、色コンポーネントＲＧＢＫinのうち色コンポーネントＲＧＢの輝度成分に基づいて黒成分Ｋoutを算出する。黒成分Ｋoutの算出方法について説明する。黒成分Ｋoutの算出方法は、ＮＴＳＣ規格に示されている。ＮＴＳＣ規格によれば、輝度は、  
輝度＝０．３＊Ｒ＋０．５９＊Ｇ＋０．１１＊Ｂ        …（３）  
で表わされる。この輝度を利用してＫを算出することができる。  
又、他の方法として、色コンポーネントＧのフィルタの分光感度が分光視感度とほぼ等価であれば、色コンポーネントＧをそのまま輝度として使用可能である。しかるに、Ｋoutは、  
Ｋout＝（１−輝度）／２                              …（４）  
として黒成分Ｋoutを生成する。
色成分分配部２４ｃは、色成分選択部２４ａから出力された色成分Ｘ４をＫout以外の１つの色Ｃ、Ｍ又はＹに割り付ける。すなわち色成分分配部２４ｃは、予め決められた色Ｃ、Ｍ又はＹのうち１色の色材に「（１−Ｘ４）／２」値を割り付ける。２つの色材を２分の１にするのは、色材の合計が１００％以下に抑えるためである。２つの色材の比率は、これら色材の合計量が１００％を上回らない組み合わせであればよい。墨成分は、色コンポーネントＲＧＢの平均値に基づいて作成することも可能である。
【００３０】
選択部２５は、切替設定部１１から出力された切替信号Ｃｂを受け取り、切替信号Ｃｂに基づいて第１の色変換部２２の変換出力、第２の色変換部２３の変換出力、又は第３の色変換部２４の変換出力のうち１つの変換出力を選択する。すなわち、選択部２５は、切替信号Ｃｂがフルカラー印刷を示せば、第１の色変換部２２の変換出力を選択する。選択部２５は、切替信号Ｃｂが文字やグラフ、線画等の単純２色印刷を示せば、第２の色変換部２３の変換出力を選択する。選択部２５は、切替信号Ｃｂが自然画等のビットイメージの自然画２色印刷を示せば、第３の色変換部２４の変換出力を選択する。
【００３１】
次に、上記のように構成された装置の動作について説明する。  
画像入力部１０は、例えば４ラインＣＤＤにより画像のＲＧＢＫを読み取り、読み取った画像のＲＧＢＫをＲＧＢＫinの４色コンポーネントとして出力する。  
画像処理装置２１は、画像入力部１０からの４色コンポーネントＲＧＢＫinを受け取り、４色コンポーネントＲＧＢＫinを第１の色変換部２２と、第２の色変換部２３と、第３の色変換部２４とに送る。
第１の色変換部２２は、画像入力部１０からの色コンポーネントＲＧＢＫinを受け取り、色コンポーネントＲＧＢＫinに応じたテーブル値を変換用テーブル２２ａから読み出す。第１の色変換部２２は、色コンポーネントＲＧＢＫinに応じたテーブル値の補間演算を行ってＣＭＹＫoutを求める。これにより、色コンポーネントＲＧＢＫinがフルカラーＣＭＹＫoutに変換される。
【００３２】
第２の色変換部２３において、色成分平均値計算部２３ａは、色コンポーネントＲＧＢの平均値Ｘ３を求める。  
これと共に無彩色判定部２３ｂは、色コンポーネントＲＧＢのそれぞれの値が同一であるか否かに基づいて無彩色を判定し、この判定結果Ｆｂを出力する。この場合、無彩色判定部２３ｂは、色コンポーネントＲＧＢの最大値と最小値との差が予め決められた一定範囲内に収まっていれば、無彩色と判定する。
【００３３】
色成分分配部２３ｃは、無彩色判定部２３ｂの判定結果Ｆｂを受け、色成分平均値算出部２３ａにより算出された平均値Ｘ３を用いてＫout又は他の色Ｃ、Ｍ又はＹのうち１色への色成分の分配を行う。すなわち、色成分分配部２３ｃは、無彩色判定部２３ｂの判定結果Ｆｂに基づき、判定結果Ｆｂが無彩色を示していれば、ＫinをＫoutに割り当て、他の色ＣＭＹを「０」値に割り当てる。色成分分配部２３ｃは、判定結果Ｆｂが無彩色でないことを示していれば、予め決められたＣ、Ｍ又はＹのうち１つの色材に「１−平均値Ｘ３」値を割り当て、Ｋoutを含む他の色材に「０」値を割り当てる。
これにより、第２の色変換部２３によって、少なくとも文字やグラフ、線画の画像データがＫoutと、Ｋout以外の他の指定された例えばシアンＣとの２色に変換される。なお、Ｋoutと、Ｍ又はＹとの２色に変換してもよい。  
第３の色変換部２４において、色成分選択部２４ａは、色コンポーネントＲＧＢを予め決められた色成分Ｘ４として出力する。
【００３４】
これと共に黒成分生成部２４ｂは、上記式（３）及び式（４）を演算し、色コンポーネントＲＧＢの輝度成分に基づいて黒成分Ｋoutを算出する。  
色成分分配部２４ｃは、色成分選択部２４ａから出力された色成分Ｘ４をＫout以外の１つの色Ｃ、Ｍ又はＹに割り付ける。すなわち色成分分配部２４ｃは、予め決められた色Ｃ、Ｍ又はＹのうち１色の色材に「（１−Ｘ４）／２」値を割り付ける。
これにより、第３の色変換部２４によって、色コンポーネントＲＧＢＫinのうち無彩色がＫoutと、他のＣ、Ｍ又はＹのうち１つの色とを含む２色の混合色に変換される。  
選択部２５は、切替設定部１１から出力された切替信号Ｃｂを受け取り、切替信号Ｃｂがフルカラー印刷を示せば、第１の色変換部２２の変換出力を選択する。選択部２５は、切替信号Ｃｂが文字やグラフ、線画等の２色印刷を示せば、第２の色変換部２３の変換出力を選択する。選択部２５は、切替信号Ｃｂが自然画等のビットイメージの印刷を示せば、第３の色変換部２４の変換出力を選択する。
【００３５】
選択部２５により選択された第１の色変換部２２の変換出力、第２の色変換部２３の変換出力、又は第３の色変換部２４の変換出力は、プリンタ３に送られる。プリンタ３は、ＣＭＹＫの各色材量に基づいて画像形成媒体にフルカラー印刷、文字やグラフ、線画等の単純２色印刷、又は自然画等のビットイメージの自然画２色印刷を行う。
このように上記第３の実施の形態によれば、画像入力部１０により例えば４ラインＣＤＤにより読み取った画像のＲＧＢＫをＲＧＢＫinの４色コンポーネントとして出力し、第１の色変換部２２により色コンポーネントＲＧＢＫinをフルカラーＣＭＹＫoutに変換出力し、第２の色変換部２３により色コンポーネントＲＧＢから無彩色をＫに変換すると共に、他の色を指定された１色に変換出力し、又、第３の色変換部２４により色コンポーネントＲＧＢのうち無彩色をＫと他の１色とを含む２色の混合色に変換出力し、選択部８によって各変換出力のうち１つの変換出力を選択する。
【００３６】
これにより、例えば４ラインＣＤＤを有する画像入力部１０により読み取った画像の４色コンポーネントＲＧＢＫinであっても、フルカラー印刷を行うだけでなく、第２の色変換部２３により例えば黒文字等を例えばブラックの１色により印刷し、はっきりとして綺麗な印刷結果を得ることが出来る。この場合、線画は、他の１色により印刷することにより、黒文字と同等にはっきりとして綺麗な印刷結果を得ることが出来る。
第３の色変換部２４の変換出力により２色印刷を行うことにより、自然画等のビットイメージは、色の諧調に違和感のない２色の印刷結果として出力できる。第３の色変換部２４は、色相や色彩等の検出を行っていない。これにより、第３の色変換部２４は、高速で自然画等のビットイメージを２色ビットイメージに色変換できる。  
同一の画像形成媒体中に、フルカラー印刷と、文字やグラフ、線画等の２色印刷と、自然画等のビットイメージの２色印刷とが混在しても、例えば黒文字等を例えばブラックの１色によりはっきりとして綺麗な印刷で、かつ色の諧調に違和感のない２色の印刷結果が高速で得られる。
上記第３の実施の形態における第３の色変換部２４は、次の通り変形可能である。
【００３７】
図１１はＫinの色コンポーネントフィルタの分光感度が分光視感度とほぼ等価である場合の第３の色変換部２４のブロック構成図を示す。黒成分生成部２４ｄは、４色コンポーネントＲＧＢＫinのうちＫinをそのままＫoutとして出力する。すなわち、黒成分生成部２４ｄは、  
Ｋout＝（１−Ｙ）／１                  …（５）  
として黒成分を生成する。
本発明は、上記各実施の形態に限定されるものでなく、次のように変形してもよい。  
上記各実施の形態は、フルカラー印刷、文字やグラフ、線画等の２色印刷、自然画等のビットイメージの印刷に限らず、絵画、写真等の画像データの２色印刷にも適用できる。  
２色印刷は、Ｋと、Ｃ、Ｍ又はＹのうちいずれか１色との２色に限らず、例えばＣと、Ｋ、Ｍ又はＹのうちいずれか１色との２色等の各種色の組み合わせにも適用できる。
【００３８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３９】
【図１】本発明に係る画像処理装置の第１の実施の形態を適用した画像形成装置を示すブロック構成図。
【図２】同装置における画像処理装置のブロック構成図。
【図３】同装置における第２の色変換部のブロック構成図。
【図４】同装置における第３の色変換部のブロック構成図。
【図５】本発明に係る画像処理装置の第２の実施の形態を適用した画像形成装置を示すブロック構成図。
【図６】同装置における画像処理装置のブロック構成図。
【図７】本発明に係る画像処理装置の第３の実施の形態を適用した画像形成装置を示すブロック構成図。
【図８】同装置における画像処理装置のブロック構成図。
【図９】同装置における第２の色変換部のブロック構成図。
【図１０】同装置における第３の色変換部のブロック構成図。
【図１１】同装置における第３の色変換部の変形例を示すブロック構成図。
【符号の説明】
【００４０】
１：ホストコンピュータ、２：画像処理装置、３：プリンタ、４：印刷命令解釈部、５：第１の色変換部、５ａ：変換用テーブル、６：第２の色変換部、６ａ：色成分平均値計算部、６ｂ：無彩色判定部、６ｃ：色成分分配部、７：第３の色変換部、７ａ：色成分選択部、７ｂ：黒成分生成部、７ｃ：色成分分配部、８：選択部、１０：画像入力部、１１：切替設定部、２０：画像入力部、２１：画像処理装置、２２：第１の色変換部、２２ａ：変換用のテーブル、２３：第２の色変換部、２３ａ：色成分平均値計算部、２３ｂ：無彩色判定部、２３ｃ：色成分分配部、２４：第３の色変換部、２５：選択部、２４ａ：色成分選択部、２４ｂ：黒成分生成部、２４ｃ：色成分分配部、２４ｄ：黒成分生成部。
【図１】
2007300631.tif 000003
【図２】
2007300631.tif 000004
【図３】
2007300631.tif 000005
【図４】
2007300631.tif 000006
【図５】
2007300631.tif 000007
【図６】
2007300631.tif 000008
【図７】
2007300631.tif 000009
【図８】
2007300631.tif 000010
【図９】
2007300631.tif 000011
【図１０】
2007300631.tif 000012
【図１１】
2007300631.tif 000013